(57)【要約】【課題】モータが故障してもドライバの破壊その他の悪影響を安価に防止できる。【解決手段】ディスク回転装置は、スピンドルドライブ回路１９と、スピンドルモータ２と、スピンドルドライブ回路１９とスピンドルモータ２との間でスピンドルモータ２と直列に接続された１個の抵抗素子２０とを含む。スピンドルドライブ回路１９は、電力を供給する。スピンドルモータ２は、スピンドルドライブ回路１９が供給した電力により、光ディスク１を回転させる。【選択図】図１
2008125284.tif 000002
【特許請求の範囲】
【請求項１】
電力を供給するドライバと、
前記ドライバが供給した電力により、ディスクを回転させるスピンドルモータと、
前記ドライバと前記スピンドルモータとの間で前記スピンドルモータと直列に接続された１個の抵抗素子とを含む、ディスク回転装置。
【請求項２】
電力を供給するドライバと、
前記ドライバが供給した電力により、ディスクを回転させるスピンドルモータと、
前記ドライバと前記スピンドルモータとの間で前記スピンドルモータと直列に接続され、前記ドライバからの電力を消費する１種類の素子とを含む、ディスク回転装置。
【請求項３】
前記素子は、前記ドライバが電力を供給する間、継続して電力を消費する素子である、請求項２に記載のディスク回転装置。
【請求項４】
前記電力を消費する素子は、１個の抵抗素子である、請求項３に記載のディスク回転装置。
【請求項５】
前記電力を消費する素子は、互いに抵抗値が異なる複数の抵抗素子である、請求項３に記載のディスク回転装置。
【発明の詳細な説明】
【技術分野】
【０００１】
本発明は、ディスク回転装置に関し、特に、過電流に対し応答するディスク回転装置に関する。
【背景技術】
【０００２】
特許文献１は、電源と、定電流チョッパステッピングモータドライバと、ステッピングモータと並列に定電流チョッパステッピングモータドライバと接続された駆動電流検出装置とを含む定電流チョッパステッピングモータ制御駆動回路を開示する。定電流チョッパステッピングモータドライバは、この電源から電力の供給を受け、ステッピングモータをチョッピング電流で駆動する。駆動電流検出装置は正特性のサーミスタ素子を含む。
【０００３】
特許文献１に開示された発明によると、ステッピングモータドライバに流れる電流を抑制できる。
【０００４】
特許文献２は、電源部と負荷との間に直列に接続されたスイッチおよび正特性サーミスタと、スイッチをオンオフする駆動回路と、スイッチがオン状態のときに、正特性サーミスタの温度が所定レベル以上に上昇すると、スイッチを強制的にオフにするスイッチ制御回路とを備えた電流供給回路を開示する。
【０００５】
特許文献２に開示された発明によると、ステッピングモータドライバに流れる電流を抑制できる。
【特許文献１】特開２００５−９４９７７号公報
【特許文献２】特開２００１−２１８３６１号公報
【発明の開示】
【発明が解決しようとする課題】
【０００６】
特許文献１および特許文献２に開示された発明では、製造コストが高騰するという問題点がある。
【０００７】
本発明は上述の問題点を解決するためになされたものであって、その目的は、モータが故障してもドライバの破壊その他の悪影響を安価に防止できるディスク回転装置を提供することにある。
【課題を解決するための手段】
【０００８】
上記目的を達成するために、本発明のある局面にしたがうと、ディスク回転装置は、ドライバと、スピンドルモータと、ドライバとスピンドルモータとの間でスピンドルモータと直列に接続された１個の抵抗素子とを含む。ドライバは、電力を供給する。スピンドルモータは、ドライバが供給した電力により、ディスクを回転させる。
【０００９】
本発明の他の局面に従うと、ディスク回転装置は、ドライバと、スピンドルモータと、１種類の素子とを含む。ドライバは、電力を供給する。スピンドルモータは、ドライバが供給した電力により、ディスクを回転させる。素子は、ドライバとスピンドルモータとの間でスピンドルモータと直列に接続され、ドライバからの電力を消費する。
【００１０】
また、上述した素子は、ドライバが電力を供給する間、継続して電力を消費する素子であることが望ましい。
【００１１】
もしくは、電力を消費する素子は、１個の抵抗素子であることが望ましい。
もしくは、電力を消費する素子は、互いに抵抗値が異なる複数の抵抗素子であることが望ましい。
【発明の効果】
【００１２】
本発明に係るディスク回転装置は、モータが故障してもドライバの破壊その他の悪影響を安価に防止できる。
【発明を実施するための最良の形態】
【００１３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１４】
図１には、この発明の実施の形態に係る光ディスク再生装置の構成が示される。図１において光ディスク再生装置は、光ディスク１を回転させるスピンドルモータ２と、集積回路によって構成され、かつスピンドルモータ２を駆動するスピンドルドライブ回路１９と、スピンドルドライブ回路１９からスピンドルモータ２に電力を供給するための電線に設けられた第１抵抗素子２０と、電源１１からスピンドルドライブ回路１９に電力を供給するための電線に設けられた第２抵抗素子２１とを備えている。スピンドルモータ２と、スピンドルドライブ回路１９と、第１抵抗素子２０とは、ディスク回転装置を構成している。
【００１５】
第１抵抗素子２０の抵抗値は、スピンドルモータ２の内部抵抗の抵抗値に対応する。第１抵抗素子２０の抵抗値は、スピンドルモータ２の内部抵抗の抵抗値の１０パーセント以下であることが必要である。これ以上の抵抗値であれば、スピンドルモータ２に十分な電力が供給できなくなるためである。
【００１６】
一方、第１抵抗素子２０の抵抗値は、ある程度高くなくてはならない。抵抗値が低すぎた場合、スピンドルモータ２がショートした際過電流が流れてしまい、スピンドルドライブ回路１９の破壊、発熱、発煙の原因となるためである。その最低値は、スピンドルドライブ回路１９の端子電圧をスピンドルドライブ回路１９の許容電流で除算した値となる。
【００１７】
以上のような構造に基づく、光ディスク再生装置の動作について説明する。
スピンドルモータ２に異常がない場合、スピンドルドライブ回路１９に電源１１が電力を供給すると、スピンドルドライブ回路１９は、適切な電圧および電流の電力をスピンドルモータ２に供給する。本実施の形態に係る光ディスク再生装置の場合、スピンドルモータ２と直列に第１抵抗素子２０が接続されているので、スピンドルドライブ回路１９の端子電圧は、スピンドルモータ２の駆動に適した電圧よりも若干高くなっている。
【００１８】
電力が供給されたスピンドルモータ２は、回転したり停止したりする。これにより、光ディスク１は回転する。この間、第１抵抗素子２０も電力を消費している。
【００１９】
その後、スピンドルモータ２がショートしたとする。スピンドルモータ２がショートすると、スピンドルモータ２によって消費される電力はほぼゼロになるので、スピンドルドライブ回路１９が供給する電力の電流値は増加する。
【００２０】
しかしながら、第１抵抗素子２０において電力が消費されるので、スピンドルドライブ回路１９が供給する電力の電流値はそれほど高くならない。これにより、過電流が流れることによるスピンドルドライブ回路１９の破壊、発熱、あるいは発煙は防止される。
【００２１】
以上のようにして、本実施の形態に係る光ディスク再生装置は、スピンドルモータ２がショートした場合、ショートの瞬間以降も第１抵抗素子２０が電力を消費する。これにより、スピンドルドライブ回路１９に過電流が流れることは防止される。スピンドルドライブ回路１９に過電流が流れることが防止されるので、スピンドルドライブ回路１９の破壊、発熱、あるいは発煙は防止される。しかもそのために必要なコストはわずかである。図２は、本実施の形態に係るディスク回転装置における、スピンドルモータ２に異常が生じた場合の、スピンドルドライブ回路１９に流れる電流を表わす概念図である。図３は、一般的なディスク回転装置における、スピンドルモータ２に異常が生じた場合の、スピンドルドライブ回路１９に流れる電流を表わす概念図である。これらの図は、第１抵抗素子２０が接続されていることによりスピンドルドライブ回路１９が保護されていることを表わす。
【００２２】
また、第１抵抗素子２０は、スピンドルドライブ回路１９が電力を供給する間、継続して電力を消費する素子である。これにより、電力を消費しない期間がある素子のように、その素子が電力を消費していない期間にスピンドルモータ２がショートすることでスピンドルドライブ回路１９に過電流が流れるという事態を回避できる。
【００２３】
また、スピンドルドライブ回路１９に対する保護のために設けられている素子は第１抵抗素子２０である。一般的に、スピンドルモータ２がショートした後、自然にショート状態が回復することがある。このような場合にも、第１抵抗素子２０が設けられていることで、特段の操作をしなくても装置の使用が可能になる。その上、第１抵抗素子２０が消費する電力は一定なので、第１抵抗素子２０の発熱に対する対策も立てやすくなる。これにより、発熱対策のためのコストも安価となる。
【００２４】
その結果、スピンドルモータが故障してもドライバの破壊その他の悪影響を安価に防止できるディスク回転装置を提供することができる。
【００２５】
なお、スピンドルモータ２とスピンドルドライブ回路１９との間に、第１抵抗素子２０とは別の抵抗が設けられてもよい。この抵抗の抵抗値は第１抵抗素子２０と異なっていてもよいが、抵抗であることが望ましい。スピンドルモータ２とスピンドルドライブ回路１９との間に設けられる素子の種類が異なる場合、それらを協調して動作させるための設計が必要となり、製造コストが増加するためである。図４は、スピンドルモータ２とスピンドルドライブ回路１９との間に第３抵抗素子２２が設けられた場合の光ディスク再生装置の構成図である。
【００２６】
また、第１抵抗素子２０に代えて、ヒューズが設けられていてもよい。この場合、スピンドルモータ２がショートすると、ヒューズが焼き切れるので、スピンドルモータ２への電力の供給は停止する。これにより、スピンドルドライブ回路１９が保護される。ヒューズの他、サーミスタ素子などであってもよい。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】本発明の実施の形態に係る光ディスク再生装置の構成図である。
【図２】本発明の実施の形態に係るディスク回転装置における、スピンドルモータに異常が生じた場合の、スピンドルドライブ回路に流れる電流を表わす概念図である。
【図３】一般的なディスク回転装置における、スピンドルモータに異常が生じた場合の、スピンドルドライブ回路に流れる電流を表わす概念図である。
【図４】本発明の実施の形態の変形例に係る光ディスク再生装置の構成図である。
【符号の説明】
【００２９】
１  光ディスク、２  スピンドルモータ、１１  電源、１９  スピンドルドライブ回路、２０  第１抵抗素子、２１  第２抵抗素子、２２  第３抵抗素子。
【図１】
2008125284.tif 000003
【図２】
2008125284.tif 000004
【図３】
2008125284.tif 000005
【図４】
2008125284.tif 000006